(57)【特許請求の範囲】
【請求項１】
操作部材を備えたレンズ鏡筒に対して着脱可能なレンズ駆動アダプタであって、
前記操作部材を駆動する駆動部と、
該駆動部を保持するアダプタ本体とを有し、
前記アダプタ本体は、
前記レンズ駆動アダプタを前記レンズ鏡筒に装着した際に前記レンズ鏡筒の外周面とは離れて対向するレンズ装着面と、
前記レンズ駆動アダプタを前記レンズ鏡筒に装着した際に前記外周面に当接するように前記レンズ装着面から前記外周面に向けて突出し、かつ光軸の方向に延びた突起形状を有する第１の当接部および第２の当接部とを有していることを特徴とするレンズ駆動アダプタ。
【請求項２】
前記第１および第２の当接部は、前記レンズ駆動アダプタを前記レンズ鏡筒に装着した際に前記外周面と、前記レンズ装着面のうち前記第１および第２の当接部の間の部分との間にギャップを形成することを特徴とする請求項１に記載のレンズ駆動アダプタ。
【請求項３】
前記第１および第２の当接部は、前記レンズ駆動アダプタが前記レンズ鏡筒に装着された状態での前記光軸に沿った方向に延びる部分円筒面を有することを特徴とする請求項１または２に記載のレンズ駆動アダプタ。
【請求項４】
前記第１および第２の当接部は、前記レンズ駆動アダプタが前記レンズ鏡筒に装着された状態での前記光軸に直交する断面内において頂点が前記外周面に接する三角形の形状を有することを特徴とする請求項１または２に記載のレンズ駆動アダプタ。
【請求項５】
前記レンズ装着面は、凹曲面であることを特徴とする請求項１から４のいずれか一項に記載のレンズ駆動アダプタ。
【請求項６】
前記駆動部は、前記操作部材に駆動力を伝達する駆動部材を有し、
前記駆動部材が、前記第１および第２の当接部の間に配置されていることを特徴とする請求項１から５のいずれか一項に記載のレンズ駆動アダプタ。
【請求項７】
前記駆動部は、前記操作部材に駆動力を伝達する駆動部材を有し、
前記駆動部材が、前記第１および第２の当接部のうち一方に対して、前記レンズ駆動アダプタが前記レンズ鏡筒に装着された状態での前記光軸に沿った方向に並んで配置されていることを特徴とする請求項１から５のいずれか一項に記載のレンズ駆動アダプタ。
【請求項８】
前記アダプタ本体を前記レンズ鏡筒に対して固定するための固定手段をさらに有することを特徴とする請求項１から７のいずれか一項に記載のレンズ駆動アダプタ。
【請求項９】
前記固定手段は、
前記アダプタ本体の周方向の両側に、前記アダプタ本体に対して移動可能に設けられた第１の可動部材および第２の可動部材と、
それぞれ前記第１の可動部材および前記第２の可動部材により保持され、前記レンズ鏡筒の外周面のうち前記第１および第２の当接部が当接する周方向２箇所を挟む前記周方向の両側の部分に結合される第１の結合部材および第２の結合部材とにより構成されていることを特徴とする請求項８に記載のレンズ駆動アダプタ。
【請求項１０】
操作部材を備えたレンズ鏡筒に対して着脱可能なレンズ駆動アダプタであって、
前記操作部材を駆動する駆動部と、
該駆動部を保持するアダプタ本体と、
を有し、
前記アダプタ本体は、前記レンズ駆動アダプタを前記レンズ鏡筒に装着した際に前記レンズ鏡筒の外周面に当接する第１の当接部および第２の当接部を有しており、
前記駆動部は、前記操作部材に駆動力を伝達する駆動部材を有し、
前記駆動部材が、前記第１および第２の当接部のうち一方に対して、前記レンズ駆動アダプタが前記レンズ鏡筒に装着された状態での前記レンズ鏡筒の光軸に沿った方向に並んで配置されていることを特徴とするレンズ駆動アダプタ。
【請求項１１】
請求項１から１０のいずれか一項に記載のレンズ駆動アダプタが装着され、操作部材と撮影光学系とを含むレンズ鏡筒を有することを特徴とするレンズ装置。
【請求項１２】
請求項１から１０のいずれか一項に記載のレンズ駆動アダプタが装着され、操作部材と撮影光学系とを含むレンズ鏡筒と、
前記撮影光学系により形成された被写体像を撮像する撮像素子とを有することを特徴とする撮像装置。
【発明の詳細な説明】
【技術分野】
【０００１】
本発明は、レンズ鏡筒に取り外し可能に装着されて該レンズ鏡筒の操作部材を駆動するレンズ駆動アダプタに関する。
【背景技術】
【０００２】
レンズ鏡筒には、ユーザよるマニュアルズーム操作やマニュアルフォーカス操作用の操作リング等の操作部材を備えたものがある。このような操作部材を、アクチュエータを用いて電動駆動するために、レンズ鏡筒の外周に取り外し可能に装着されるレンズ駆動アダプタが提案されている（例えば特許文献１）。
【先行技術文献】
【特許文献】
【０００３】
【特許文献１】特開２００７−１０８３７３号公報
【発明の概要】
【発明が解決しようとする課題】
【０００４】
しかしながら、特許文献１にて開示されたレンズ駆動アダプタは、これを装着できるレンズ鏡筒の外径が限定される。これに対して、レンズ鏡筒には様々な外径を有するものがあり、これら外径が異なる様々なレンズ鏡筒に対して汎用的に装着できるレンズ駆動アダプタが望まれる。
【０００５】
本発明は、外径が異なる様々なレンズ鏡筒に対して汎用的に装着できるレンズ駆動アダプタを提供する。
【課題を解決するための手段】
【０００６】
本発明の一側面としてのレンズ駆動アダプタは、操作部材を備えたレンズ鏡筒に対して着脱可能である。該レンズ駆動アダプタは、操作部材を駆動する駆動部と、該駆動部を保持するアダプタ本体とを有する。アダプタ本体は、レンズ駆動アダプタをレンズ鏡筒に装着した際にレンズ鏡筒の外周面とは離れて対向するレンズ装着面と、レンズ駆動アダプタをレンズ鏡筒に装着した際に外周面に当接するようにレンズ装着面から外周面に向けて突出し、かつ光軸の方向に延びた突起形状を有する第１の当接部および第２の当接部とを有していることを特徴とする。
【０００７】
なお、上記レンズ駆動アダプタが装着され、操作部材と撮影光学系とを含むレンズ鏡筒を有するレンズ装置および撮像装置も本発明の他の一側面を構成する。
【発明の効果】
【０００８】
本発明によれば、外径が異なる様々なレンズ鏡筒に対して汎用的に装着でき、それらレンズ鏡筒の操作部材を確実に駆動可能なレンズ駆動アダプタを実現することができる。
【図面の簡単な説明】
【０００９】
【図１】本発明の実施例１であるレンズ駆動アダプタとこれが装着されたレンズ鏡筒の構成を示す断面図。
【図２】実施例１のレンズ駆動アダプタがレンズ鏡筒に装着されたレンズ交換式カメラシステムの外観を示す斜視図。
【図３】実施例１のレンズ駆動アダプタがレンズ鏡筒から取り外された状態の上記カメラシステムの外観を示す斜視図。
【図４】実施例１のレンズ駆動アダプタと互いに外径が異なるレンズ鏡筒との関係を示す図。
【図５】本発明の実施例２であるレンズ駆動アダプタとこれが装着されたレンズ鏡筒の構成を示す断面図。
【発明を実施するための形態】
【００１０】
以下、本発明の実施例について図面を参照しながら説明する。
【実施例１】
【００１１】
図２には、本発明の実施例であるレンズ駆動アダプタ１と、レンズ駆動アダプタ１が装着された交換レンズ(レンズ装置)の本体を構成するレンズ鏡筒２と、レンズ鏡筒２が装着されたレンズ交換式デジタルカメラ３とを示している。レンズ駆動アダプタ１は、レンズ鏡筒２に対して取り外し可能に装着される。図３には、レンズ駆動アダプタ１がレンズ鏡筒２から取り外され、レンズ鏡筒２がカメラ３から取り外された状態を示している。
【００１２】
図３に示すように、カメラ３はマウント３０１を有し、該マウント３０１に対してレンズ鏡筒２は取り外し可能に装着される。また、カメラ3におけるマウント301の奥には、後述する撮影光学系により形成された被写体像を光電変換(撮像)する撮像素子３０５が設けられている。
【００１３】
図２および図３に示すレンズ鏡筒２の内部には、複数のレンズ群および絞りを含む撮影光学系２０１が収容されている。一方、レンズ鏡筒２の外周面２０４上には、操作部材としてのレンズ操作リング２０２が設けられている。レンズ操作リング２０２は、レンズ鏡筒２の光軸を中心として回転が可能である。このレンズ操作リング２０２の回転に応じて、撮影光学系２０１に含まれる複数のレンズ群のうちいずれかのレンズ群を光軸に沿った方向（光軸方向）に移動させ、焦点距離を変化させたり焦点調節を行ったりすることができる。
【００１４】
レンズ操作リング２０２の光軸方向での一部には、周方向に延びる被駆動部としての被駆動ギア２０３が形成されている。
【００１５】
レンズ駆動アダプタ１において、１０１はアダプタ本体を構成するケースであり、１０２はケース１０１の上面に設けられた操作スイッチである。
【００１６】
図１には、レンズ駆動アダプタ１とこれが装着されたレンズ鏡筒２をレンズ鏡筒２の光軸に直交する方向に切断したときの断面を示している。
【００１７】
ケース１０１内には、ＤＣモータ、ステッピングモータ、圧電素子等の駆動源１０３と、駆動部材であるリング駆動ギア１０６と、駆動源１０３の駆動力をリング駆動ギア１０６に伝達する伝達ギア１０４とにより構成された駆動部が収容され、かつ保持されている。
【００１８】
１０５は駆動制御部であり、操作スイッチ１０２の操作に応じて、駆動源１０３の駆動方向、駆動速度、駆動時間等を制御する。リング駆動ギア１０６は、レンズ駆動アダプタ１がレンズ鏡筒２に装着された状態でレンズ操作リング２０２の被駆動ギア２０３に噛み合う（接触する）。このため、リング駆動ギア１０６が駆動源１０３からの駆動力により回転すると、レンズ操作リング２０２が回転駆動される。
【００１９】
なお、本実施例では、駆動部材としてリング駆動ギア１０６を用いているが、駆動部材として、レンズ操作リング２０２に接触してこれを駆動するローラーやベルト等の他の駆動部材を用いてもよい。
【００２０】
１０９はバッテリである。なお、レンズ駆動アダプタ１が交換レンズやカメラ３から電源供給を受ける場合はバッテリ１０９は不要である。
【００２１】
１０１ａはケース１０１におけるレンズ装着面であり、レンズ鏡筒２の外周面と干渉しないように凹円弧曲面部（凹曲面部）として形成されている。レンズ装着面１０１ａは、レンズ駆動アダプタ１がレンズ鏡筒２に装着されたときにレンズ鏡筒２の外周面２０４に沿う（対向する）面である。以下の説明において、このレンズ装着面１０１ａに沿って配置されるレンズ鏡筒２の周方向に対応する方向を、レンズ駆動アダプタ１でも周方向という。また、レンズ装着面１０１ａに沿って配置されるレンズ鏡筒２の光軸方向に対応する方向を、レンズ駆動アダプタ１でも光軸方向という。
【００２２】
１０８ａ，１０８ｂはレンズ装着面１０１ａにおける周方向２箇所に互いに離間して設けられた２つの突起部としての当接部（第１の当接部および第２の当接部）である。これら当接部１０８ａ，１０８ｂはそれぞれ、レンズ鏡筒２の外周面２０４上の当接受け面２０４ａ，２０４ｂに当接可能である。本実施例では、当接部１０８ａ，１０８ｂは、光軸方向に延びる部分円筒面（凸曲面）を有する突起形状に形成されている。
【００２３】
当接部１０８ａ，１０８ｂは三角形のような頂点を有する形状に形成されてもよいが、装着時や落下等による衝撃を受けたときのレンズ鏡筒２の外周面２０４の変形を防止するために、先に説明したように部分円筒面を有する形状に形成されることが好ましい。
【００２４】
また、本実施例では、当接部１０８ａ，１０８ｂは、周方向においてリング駆動ギア１０６を間に挟む２箇所に設けられている。
【００２５】
ここで、本実施例のレンズ駆動アダプタ１は、互いに外周面の外径が異なる複数のレンズ鏡筒に対して装着可能である。図１は、レンズ駆動アダプタ１が、外径がφＡであるレンズ鏡筒２に装着された場合を示している。一方、図４（ａ）には、レンズ駆動アダプタ１が、φＡより小さい外径φＢを有するレンズ鏡筒２′に装着された場合を示している。さらに、図４（ｂ）には、レンズ駆動アダプタ１が、φＡより大きい外径φＣを有するレンズ鏡筒２″に装着された場合を示している。
【００２６】
図１および図４（ａ），（ｂ）において、１１０ａおよび１１０ｂは、ケース１０１のうち周方向両側の部分に、該ケース１０１に対して移動可能に取り付けられた可動板（第１の可動部材および第２の可動部材）である。可動板１１０ａ，１１０ｂは、これらの図に示したレンズ鏡筒２，２′，２″の外径φＡ，φＢ，φＣに応じて互いに開く方向および閉じる方向に移動可能（回動可能）にケース１０１に取り付けられている。
【００２７】
１０７ａおよび１０７ｂはそれぞれ、可動板１１０ａ，１１０ｂにより保持された固定ねじ（１の結合部材および第２の結合部材）である。固定ねじ１０７ａ，１０７ｂは、雄ねじ部１０７ａ１，１０７ｂ１を有する。可動板１１０ａ，１１０ｂと固定ねじ１０７ａ，１０７ｂとにより、ケース１０１を互いに外径が異なる複数のレンズ鏡筒２，２′，２″に対して固定可能とする固定手段が構成される。
【００２８】
図１および図３に示すように、レンズ鏡筒２の外周面２０４のうち当接受け面２０４ａ，２０４ｂを挟む周方向両側の２箇所の部分には雌ねじ部２１１ａ，２１１ｂが形成されている。固定ねじ１０７ａ，１０７ｂは、その雄ねじ部１０７ａ１，１０７ｂ１が雌ねじ部２１１ａ，２１１ｂに締め込まれることでレンズ鏡筒２に結合される。そして、可動板１１０ａ，１１０ｂにより保持された固定ねじ１０７ａ，１０７ｂをレンズ鏡筒２に結合させることで、ケース１０１（つまりはレンズ駆動アダプタ１）がレンズ鏡筒２に固定される。
【００２９】
また、固定ねじ１０７ａ，１０７ｂを雌ねじ部２１１ａ，２１１ｂに締め込むことで、ケース１０１をレンズ鏡筒２に対して引き寄せる力を発生させることができる。これにより、当接部１０８ａ，１０８ｂがレンズ鏡筒２の外周面２０４上の当接受け面２０４ａ，２０４ｂに押し付けられ、リング駆動ギア１０６とレンズ操作リング２０２の被駆動ギア２０３との噛み合いが維持される。
【００３０】
なお、本実施例では、結合部材としての固定ねじ１０７ａ，１０７ｂを用いて固定手段を構成しているが、他の結合部材を用いてもよく、望ましくはケース１０１をレンズ鏡筒２に対して引き寄せる力を発生させる構成を有するとよい。
【００３１】
本実施例において、レンズ駆動アダプタ１の当接部１０８ａ，１０８ｂは、上述したように周方向に離間した２箇所に突起形状を有するように設けられている。レンズ駆動アダプタ１の当接部１０８ａ，１０８ｂは、図１および図４（ａ），（ｂ）に示した互いに外径が異なる複数のレンズ鏡筒２，２′，２″のいずれの外周面２０４（当接受け面２０４ａ，２０４ｂ）にも当接可能である。そして、これら複数のレンズ鏡筒２，２′，２″のいずれの外周面２０４に当接しても、その外周面２０４とレンズ装着面１０１ａのうち当接部１０８ａ，１０８ｂ間の部分との間にギャップＧを形成する。つまり、上記複数のレンズ鏡筒２，２′，２″のいずれの外周面２０４もレンズ装着面１０１ａに当接（干渉）させないように当接部１０８ａ，１０８ｂのレンズ装着面１０１ａからの突出量（高さ）が設定されている。このため、レンズ駆動アダプタ１は、互いに異なる外径の複数のレンズ鏡筒２，２′，２″の外周面２０４のいずれに対しても安定的に（つまりはがたつきなく）装着される。
【００３２】
また、図１に示すレンズ鏡筒２において、当接受け面２０４ａ，２０４ｂの曲率半径（つまりはレンズ外周面２０４の半径）Ｒｒは、被駆動ギア２０３の歯先円の半径とほぼ等しく、被駆動ギア２０３のピッチ円の半径Ｒｐよりも若干大きく設定されている。この関係は、図４（ａ），（ｂ）に示したレンズ鏡筒２′，２″においても同じである。このため、レンズ駆動アダプタ１がこれら複数のレンズ鏡筒２，２′，２″のいずれに装着された場合でも、リング駆動ギア１０６とそのレンズ鏡筒の被駆動ギア２０３との軸間距離は大きく変わらず、ほぼ一定となる。このため、レンズ駆動アダプタ１を、これらギア１０６，２０３の噛み合い精度を大きく低下させないように複数のレンズ鏡筒２，２′，２″に装着することができる。
【実施例２】
【００３３】
図５には、本発明の実施例２であるレンズ駆動アダプタ１′とこれが装着されたレンズ鏡筒２をレンズ鏡筒２の光軸に直交する方向に切断したときの断面を示している。本実施例のレンズ駆動アダプタ１′の基本的な構成は実施例１のレンズ駆動アダプタ１と同じであり、実施例１と共通する構成要素には実施例１と同符号を付す。
【００３４】
本実施例では、図５中に破線円で囲んだように、一方の当接部１０８ｂとリング駆動ギア１０６′とが光軸方向に並んで（言い換えれば、当接部１０８ｂの部分円筒面とリング駆動ギア１０６′とが周方向同位置に位置するように）設けられている。
【００３５】
この構成によれば、レンズ駆動アダプタ１′が図１および図４（ａ），（ｂ）に示した互いに外径が異なる複数のレンズ鏡筒２，２′，２″に装着されても、リング駆動ギア１０６′とそのレンズ鏡筒の被駆動ギア２０３との軸間距離は一定となる。このため、これらギア１０６′，２０３の噛み合い精度を低下させることなく、レンズ駆動アダプタ１′を複数のレンズ鏡筒２，２′，２″に装着することができる。
【００３６】
なお、本実施例では、交換レンズが有するレンズ鏡筒にレンズ駆動アダプタを装着する場合について説明したが、レンズ一体型カメラのレンズ鏡筒にレンズ駆動アダプタを装着することもできる。
【００３７】
以上説明した各実施例は代表的な例にすぎず、本発明の実施に際しては、各実施例に対して種々の変形や変更が可能である。
【符号の説明】
【００３８】
１，１′  レンズ駆動アダプタ
１０１  ケース（アダプタ本体）
１０６  リング駆動ギア
１０８ａ，１０８ｂ  当接部
１０７ａ，１０７ｂ  固定ねじ
１１０ａ，１１０ｂ  可動板
２，２′，２″  レンズ鏡筒
２０２  レンズ操作リング
【図１】
0006758803.tif 000002
【図２】
0006758803.tif 000003
【図３】
0006758803.tif 000004
【図４】
0006758803.tif 000005
【図５】
0006758803.tif 000006